(57)【要約】  本願は、フレキシブルディスプレイを自動的に折りたたむ装置を提供する。当該装置は、フレキシブルディスプレイの一部を支える可動式ディスプレイホルダーと、前記可動式ディスプレイホルダーが半径を変えながら回転して前記フレキシブルディスプレイを曲げるよう、前記可動式ディスプレイホルダーを駆動する曲げ駆動装置と、を備える。ここで、前記フレキシブルディスプレイの曲げ角度が大きくなるほど、前記可動式ディスプレイホルダーの回転半径が小さくなる。
2021510213.tif 000002
【特許請求の範囲】
【請求項１】
フレキシブルディスプレイの一部を支える可動式ディスプレイホルダーと、
前記可動式ディスプレイホルダーが固定式回転軸まわりに半径を変えながら回転して前記フレキシブルディスプレイを曲げるよう、前記可動式ディスプレイホルダーを駆動する曲げ駆動装置と、を備え、
前記フレキシブルディスプレイの曲げ角度が大きくなるほど、前記可動式ディスプレイホルダーの回転半径が小さくなる
ことを特徴とする、フレキシブルディスプレイを自動的に折りたたむ装置。
【請求項２】
フレキシブルディスプレイが平面状態から折りたたみ状態になるとき、前記可動式ディスプレイホルダーの回転半径は大から小に変化し、
フレキシブルディスプレイが折りたたみ状態から平面状態になるとき、前記可動式ディスプレイホルダーの回転半径は小から大に変化する
ことを特徴とする請求項１に記載の装置。
【請求項３】
前記曲げ駆動装置は、
曲率半径が変化する円弧状表面を有するカムと、
前記可動式ディスプレイホルダーが前記カムの前記円弧状表面に沿って回転するよう、前記可動式ディスプレイホルダーを駆動する駆動機構と、を備える
ことを特徴とする請求項１に記載の装置。
【請求項４】
前記駆動機構は、
モータと、
前記モータと前記カムとの間に配置される駆動部と、を備え、
前記モータは回転して前記駆動部を連動させ、前記駆動部は前記可動式ディスプレイホルダーを駆動し、前記可動式ディスプレイホルダーは前記円弧状表面に沿って回転する
ことを特徴とする請求項３に記載の装置。
【請求項５】
前記駆動部は、
前記モータの頭部側の端部に配置される固定台と、
前記固定台の前記モータから離れた一端に配置される回転リンクと、
前記回転リンクの前記固定台から離れた一端に連結されるスライダーと、
前記カムと前記スライダーとの間に配置されるばねと、
前記ばねの前記スライダーから離れた一端に配置され、ねじによって前記回転リンクと締結されるスライダー圧盤と、
前記回転リンクに配置され、ねじによって前記回転リンクと締結されるベアリングと、を備え、
前記固定台の一端が前記カムに連結される
ことを特徴とする請求項４に記載の装置。
【請求項６】
ベースを更に備え、
前記ベースはスルーホールを有し、
前記駆動機構は前記スルーホールの中に配置される
ことを特徴とする請求項３に記載の装置。
【請求項７】
前記ベースの形状は矩形、長方形及び円形などのうちの１つ又は複数であり、
前記ベースの材料は金属とプラスチックとのうちの１つ又は複数である
ことを特徴とする請求項６に記載の装置。
【請求項８】
前記ベースに固定され、前記モータが回転するように前記モータを駆動する駆動回路基板と、
前記ベースに配置される配線と、を更に備え、
前記配線の一端は前記駆動回路基板と電気的に接続され、前記配線の他端は前記モータと電気的に接続される
ことを特徴とする請求項５に記載の装置。
【請求項９】
前記駆動回路基板は、
前記ベースの前記スルーホールの中に配置され、及び／又は、
前記ベースの前記モータに近接する側に配置され、及び／又は、
前記ベースの前記ホルダーに近接する側に配置される
ことを特徴とする請求項８に記載の装置。
【請求項１０】
前記スルーホールの前記可動式ディスプレイホルダーに近接する一端の表面を覆うトップカバーを更に備え、
前記カムは前記トップカバーの内部に配置される
ことを特徴とする請求項５に記載の装置。
【請求項１１】
前記トップカバーの形状は矩形、円形及び長方形のうちの１つ又は複数であり、
前記トップカバーの材料は金属とプラスチックとのうちの１つ又は複数である
ことを特徴とする請求項１０に記載の装置。
【請求項１２】
前記スルーホールの前記トップカバーから離れた一端の表面を覆うボトムカバーを更に備える
ことを特徴とする請求項１０に記載の装置。
【請求項１３】
前記ボトムカバーの形状は矩形、長方形及び円形のうちの１つ又は複数であり、
前記ボトムカバーの材料は金属とプラスチックとのうちの１つ又は複数である
ことを特徴とする請求項１１に記載の装置。
【請求項１４】
前記トップカバーの前記ベースから離れた一端に固定される固定式ディスプレイホルダーを更に備え、
前記固定式ディスプレイホルダーと前記可動式ディスプレイホルダーとは、フレキシブルディスプレイの折り曲げ領域の両側に並んで配列される
ことを特徴とする請求項１に記載の装置。
【請求項１５】
前記可動式ディスプレイホルダーと前記固定式ディスプレイホルダーとの間に配置され、前記可動式ディスプレイホルダーと前記固定式ディスプレイホルダーとを連結する軟質樹脂製回転軸、を更に備える
ことを特徴とする請求項１３に記載の装置。
【請求項１６】
前記固定式ディスプレイホルダーに配置されて前記フレキシブルディスプレイを固定するディスプレイ固定板、を更に備える
ことを特徴とする請求項１３に記載の装置。
【請求項１７】
前記可動式ディスプレイホルダー及び前記ディスプレイ固定板に固定されて前記フレキシブルディスプレイを固定するディスプレイ止め具を更に備える
ことを特徴とする請求項１５に記載の装置。
【請求項１８】
前記ディスプレイ止め具は２つであり、
前記ディスプレイ止め具は枠構造であり、
前記２つのディスプレイ止め具はそれぞれフレキシブルディスプレイの折り曲げ線に対する両端に配置され、
一方のディスプレイ止め具は固定式ディスプレイホルダーに連結され、他方のディスプレイ止め具は可動式ディスプレイホルダーに連結される
ことを特徴とする請求項１６に記載の装置。
【請求項１９】
前記ディスプレイ止め具は複数であり、
前記複数のディスプレイ止め具はそれぞれフレキシブルディスプレイの折り曲げ領域の両側に配置され、
前記ディスプレイ止め具はバー状であり、
前記複数のディスプレイ止め具はそれぞれ固定式ディスプレイホルダー及び可動式ディスプレイホルダーと固定連結される
ことを特徴とする請求項１６に記載の装置。
【請求項２０】
前記モータはサーボモータである
ことを特徴とする請求項３に記載の装置。
【発明の詳細な説明】
【技術分野】
【０００１】
本願は、２０１８年９月１９日に出願された中国特許出願「Ｎｏ．２０１８２１５３４７４０．３」の優先権を主張し、そのすべての内容を参照により本明細書に組み込む。
本願は、自動化装置技術分野に関し、具体的にはフレキシブルディスプレイを自動的に折りたたむ装置に関する。
【背景技術】
【０００２】
有機発光ダイオード（Ｏｒｇａｎｉｃ  Ｌｉｇｈｔ−Ｅｍｉｔｔｉｎｇ  Ｄｉｏｄｅ，ＯＬＥＤ）は、自身が発光でき、体積が小さく、エネルギー消費量が低く、可撓性を有するなどの特長があるため、表示技術として軍用、医学、展覧などの分野において大きく活躍している。近年、そのフレキシブルで折りたたみ可能であるという優位性に基づいて、表示業界においては携帯電話などの端末製品のフレキシブル化が発展している。また、表示業界のトップ企業も折りたたみ式ディスプレイについて布石を打ち始めている。しかしながら、新しいディスプレイ製品であるフレキシブル折りたたみディスプレイは、自身の折りたたみ構造に制約されて、折り曲げ領域において「折り目」の形成や引っ張り現象が発生しやすい。したがってスクリーンが故障してしまい、正常に表示することができなくなる。
【発明の概要】
【０００３】
以上に鑑みて、本願は、フレキシブルディスプレイを自動的に折りたたむ装置を提供することによって、フレキシブルディスプレイの折り曲げ領域において発生しやすい「折り目」の形成や引っ張り現象の影響でスクリーンが故障して表示が異常になってしまう課題を解決する。
【課題を解決するための手段】
【０００４】
本願の一態様により提供されるフレキシブルディスプレイを自動的に折りたたむ装置は、フレキシブルディスプレイの一部を支える可動式ディスプレイホルダーと、前記可動式ディスプレイホルダーが固定式回転軸まわりに半径を変えながら回転して前記フレキシブルディスプレイを曲げるよう、前記可動式ディスプレイホルダーを駆動する曲げ駆動装置と、を備える。ここで、前記フレキシブルディスプレイの曲げ角度が大きくなるほど、前記可動式ディスプレイホルダーの回転半径が小さくなる。
【０００５】
一実施例において、前記曲げ駆動装置は、曲率半径が変化する円弧状表面を有するカムと、前記可動式ディスプレイホルダーが前記カムの前記円弧状表面に沿って回転するよう、前記可動式ディスプレイホルダーを駆動する駆動機構と、を備える。
【０００６】
一実施例において、前記駆動機構は、モータと、前記モータと前記カムとの間に配置される駆動部と、を備える。前記モータは回転して前記駆動部を連動させ、前記駆動部は前記可動式ディスプレイホルダーが前記円弧状表面に沿って回転するように前記可動式ディスプレイホルダーを駆動する。
【０００７】
一実施例において、前記駆動部は、前記モータの頭部側の端部に配置される固定台と、前記固定台に配置される回転リンクと、前記回転リンクの前記固定台から離れた一端に連結されるスライダーと、前記カムと前記スライダーとの間に配置されるばねと、前記ばねの前記スライダーから離れた一端に配置され、ねじによって前記回転リンクと締結されるスライダー圧盤と、前記回転リンクに配置され、ねじによって前記回転リンクと締結されるベアリングと、を備える。前記固定台の一端は前記カムに連結される。
【０００８】
一実施例においては、フレキシブルディスプレイを自動的に折りたたむ装置は、ベースを更に備える。ここで、前記ベースはスルーホールを有し、前記駆動機構は前記スルーホールの中に配置される。
【０００９】
一実施例において、前記ベースの形状は矩形、長方形及び円形などのうちの１つ又は複数である。
【００１０】
一実施例において、前記スルーホールの形状は円形と方形とのうちの１つ又は複数である。
【００１１】
一実施例において、前記ベースの材料は金属とプラスチックとのうちの１つ又は複数である。
【００１２】
一実施例においては、フレキシブルディスプレイを自動的に折りたたむ装置は、駆動回路基板と、配線と、を更に備える。駆動回路基板は前記ベースに配置され、ねじによって前記ベースに固定され、前記モータが回転するように駆動する。配線は前記ベースに配置され、その一端が前記駆動回路基板と電気的に接続され、他端が前記モータと電気的に接続される。
【００１３】
一実施例において、前記駆動回路基板が前記ベースにおいて配置される位置は、前記スルーホールの中と、前記ベースの前記モータに近接する側と、前記ベースの前記ホルダーに近接する側と、のうちの１つ又は複数である。
【００１４】
一実施例においては、フレキシブルディスプレイを自動的に折りたたむ装置は、前記スルーホールの前記可動式ディスプレイホルダーに近接する一端の表面を覆うトップカバーを更に備える。ここで、前記カムは前記トップカバーの内部に配置される。
【００１５】
一実施例において、前記トップカバーの形状は矩形、円形及び長方形のうちの１つ又は複数である。
【００１６】
一実施例において、前記トップカバーの材料は金属とプラスチックとのうちの１つ又は複数である。
【００１７】
一実施例においては、フレキシブルディスプレイを自動的に折りたたむ装置は、前記スルーホールの前記トップカバーから離れた一端の表面を覆うボトムカバーを更に備える。
【００１８】
一実施例において、前記ボトムカバーの形状は矩形、長方形及び円形のうちの１つ又は複数である。
【００１９】
一実施例において、前記ボトムカバーの材料は金属とプラスチックとのうちの１つ又は複数である。
【００２０】
一実施例においては、フレキシブルディスプレイを自動的に折りたたむ装置は、前記トップカバーの前記ベースから離れた一端に固定される固定式ディスプレイホルダーを更に備える。ここで、固定式ディスプレイホルダーと前記可動式ディスプレイホルダーとは、フレキシブルディスプレイの折り曲げ領域の両側に並んで配列される。
【００２１】
一実施例において、フレキシブルディスプレイを自動的に折りたたむ装置は、前記可動式ディスプレイホルダーと前記固定式ディスプレイホルダーとの間に配置されて前記可動式ディスプレイホルダーと前記固定式ディスプレイホルダーとを連結する軟質樹脂製回転軸を更に備える。
【００２２】
一実施例において、フレキシブルディスプレイを自動的に折りたたむ装置は、前記固定式ディスプレイホルダーに配置されて前記フレキシブルディスプレイを固定するディスプレイ固定板を更に備える。
【００２３】
一実施例において、前記固定板の材料は金属と木材とのうちの１つ又は複数である。
【００２４】
一実施例においては、フレキシブルディスプレイを自動的に折りたたむ装置は、ディスプレイ止め具を更に備える。前記ディスプレイ止め具は、ねじによって前記可動式ディスプレイホルダー及び前記ディスプレイ固定板に固定され、前記フレキシブルディスプレイを固定する。
【００２５】
一実施例において、前記モータはサーボモータである。
【発明の効果】
【００２６】
本願の実施例はフレキシブルディスプレイを自動的に折りたたむ装置を提供する。当該フレキシブルディスプレイを自動的に折りたたむ装置は、可動式ディスプレイホルダーと曲げ駆動装置とを備える。ディスプレイホルダーはフレキシブルディスプレイの一部を支え、曲げ駆動装置は、可動式ディスプレイホルダーが固定式回転軸まわりに半径を変えながら回転してフレキシブルディスプレイを曲げるよう、可動式ディスプレイホルダーを駆動する。フレキシブルディスプレイの曲げ角度が大きくなるほど、可動式ディスプレイホルダーの回転半径が小さくなる。例えば、フレキシブルディスプレイが平面状態から折りたたみ状態になるとき、回転半径は大から小に変化し、フレキシブルディスプレイが折りたたみ状態から平面状態になるとき、回転半径は小から大に変化する。したがって、引っ張られるときにフレキシブルディスプレイが受ける応力を変えて、フレキシブルディスプレイが曲げられるときに引っ張られてスクリーンが故障し、表示が異常になってしまう課題を解決することができる。
【図面の簡単な説明】
【００２７】
【図１】本願の一実施例により提供されるフレキシブルディスプレイを自動的に折りたたむ装置の構造模式図である。
【図２】本願の一実施例により提供されるフレキシブルディスプレイを自動的に折りたたむ装置の構造模式図である。
【図３】本願の一実施例により提供される曲げ駆動装置の構造模式図である。
【図４】本願の一実施例により提供される駆動機構の構造模式図である。
【図５】本願の一実施例により提供される駆動部の構造模式図である。
【図６】本願の一実施例により提供されるトップカバー、ベース及びボトムカバーの構造模式図である。
【図７】本願の一実施例により提供される固定式ディスプレイホルダーの構造模式図である。
【発明を実施するための形態】
【００２８】
以下、本願の実施例による図面を参照しながら、本願の実施例に係る技術案に対して明確で完全に説明する。明らかに、ここで説明される実施例は本願の一部の実施例に過ぎず、すべての実施例ではない。当業者が本願の実施例に基づいて創造的な労働をせずに取得する他の実施例は、すべて本願の保護範囲に属する。
【００２９】
図１は、本願の一実施例により提供されるフレキシブルディスプレイを自動的に折りたたむ装置の構造模式図である。図２は、本願の一実施例により提供されるフレキシブルディスプレイを自動的に折りたたむ装置の構造模式図である。
【００３０】
図１及び図２に示すよう、当該フレキシブルディスプレイを自動的に折りたたむ装置は、可動式ディスプレイホルダー１及び曲げ駆動装置２を備える。可動式ディスプレイホルダー１はフレキシブルディスプレイ９の一部を支え、曲げ駆動装置２は、可動式ディスプレイホルダー１が固定式回転軸まわりに、半径を変えながら回転してフレキシブルディスプレイを曲げるよう、可動式ディスプレイホルダー１を駆動する。当該固定式回転軸は、フレキシブルディスプレイ９の曲げ領域方向において配置される。固定式回転軸は実体を有する回転軸であってもよい。フレキシブルディスプレイ９の曲げ領域方向において実体を有する回転軸を配置する。曲げ駆動装置２は、可動式ディスプレイホルダー１が当該実体を有する回転軸まわりに、半径を変えながら運動するよう、可動式ディスプレイホルダー１を駆動する。又は、固定式回転軸は仮想の回転軸、すなわち実体を有しない回転軸であってもよい。例えば、曲げ駆動装置２は、可動式ディスプレイホルダー１がフレキシブルディスプレイ９の曲げ領域の方向まわりに、半径を変えながら運動するよう、可動式ディスプレイホルダー１を駆動してもよい。なお、本願は固定式回転軸が実体を有するか否かについて制限しない。フレキシブルディスプレイ９の曲げ角度が大きくなるほど、可動式ディスプレイホルダー１の回転半径が小さくなる。例えば、フレキシブルディスプレイ９が平面状態から折りたたみ状態になるとき、回転半径が大から小に変化し、フレキシブルディスプレイ９が折りたたみ状態から平面状態になるとき、回転半径が小から大に変化する。したがって、フレキシブルディスプレイ９が引っ張られるときに受ける応力を変えて、フレキシブルディスプレイ９が曲げられるときに引っ張られてスクリーンが故障し、表示が異常になってしまう課題を解決することができる。
【００３１】
なお、当該フレキシブルディスプレイ９は、表示側に向けて曲げられてもよく、表示側の裏側に向けて曲げられてもよい。本願はフレキシブルディスプレイ９の曲げられる方向について制限しない。
【００３２】
図３は、本願の一実施例により提供される曲げ駆動装置２の構造模式図である。
図３に示すよう、当該曲げ駆動装置２は、曲率半径が変化する円弧状表面を有するカム２１及び駆動機構２２を備える。カム２１は、可動式ディスプレイホルダー１の回転半径を変更して、可動式ディスプレイホルダー１をカム２１の円弧状表面に沿って回転させる。駆動機構２２は、可動式ディスプレイホルダー１がカム２１の円弧状表面に沿って回転するように可動式ディスプレイホルダー１を駆動する。可動式ディスプレイホルダー１は駆動機構２２に連動して、カム２１の円弧状表面に沿って曲率半径を変えながら回転する。ここでは、フレキシブルディスプレイ９が平面状態から折りたたみ状態になるとき、回転半径が大から小に変化し、フレキシブルディスプレイ９が折りたたみ状態から平面状態になるとき、回転半径が小から大に変化する。したがって、フレキシブルディスプレイ９が引っ張られるときに受ける応力を変えて、フレキシブルディスプレイ９が曲げられるときに引っ張られてスクリーンが故障し、表示が異常になってしまう課題を解決することができる。
【００３３】
なお、曲率半径が変化するカム２１の円弧状表面の円弧角度は、フレキシブルディスプレイ９の実際の折りたたみ方式に基づいて設計されることができ、本願はカム２１の曲率半径が変化する表面の円弧角度について具体的に制限しない。
【００３４】
図４は、本願の一実施例により提供される駆動機構２２の構造模式図である。
図４に示すよう、前記駆動機構２２はモータ２２１及び駆動部２２２を備える。駆動部２２２はモータ２２１とカム２１との間に配置される。モータ２２１は回転して駆動部２２２を連動させて、駆動部２２２は動きながら可動式ディスプレイホルダー１を駆動し、可動式ディスプレイホルダー１はカム２１の円弧状表面に沿って回転する。したがって、可動式ディスプレイホルダー１の回転半径が変わって、フレキシブルディスプレイ９が折りたたまれるときに受ける応力が小さくなり、フレキシブルディスプレイ９が曲げられるときに引っ張られてスクリーンが故障し、表示が異常になってしまう課題が解決される。
なお、モータ２２１はサーボモータ、ステッピングモータ又は一般のモータなどであってもよい。モータ２２１は、ディスプレイホルダーがカム２１の外形に沿って、半径を変えながら回転するよう、ディスプレイホルダーを連動させることさえできればよく、本願はモータ２２１の具体的なタイプについて制限しない。
【００３５】
図５は本願の一実施例により提供される駆動部の構造模式図である。
図５に示すよう、本願の一実施例において、駆動部２２２は、固定台２２２１と、回転リンク２２２２と、スライダー圧盤２２２５と、スライダー２２２３と、ばね２２２４と、ベアリングと、を備える。固定台２２２１はモータ２２１の頭部に連結され、回転リンク２２２２は固定台２２２１のモータ２２１から離れた一端に配置され、スライダー２２２３は回転リンク２２２２の固定台２２２１から離れた一端に連結され、ばね２２２４はスライダー２２２３とカム２１との間に配置される。スライダー圧盤と回転リンク２２２２とをねじによって締結し、ベアリングを回転リンク２２２２に装着し、ベアリングと回転リンク２２２２とをねじによって締結してもよい。可動式ディスプレイホルダー１とスライダー２２２３とを固定し、スライダー２２２３を回転リンク２２２２に装着することによって、モータ２２１が回転リンク２２２２を連動させると、スライダー２２２３はばね２２２４の弾性力を受けて可動式ディスプレイホルダー１を連動させて、可動式ディスプレイホルダー１はカム２１の外形に沿って、半径を変えながら回転する。したがって、フレキシブルディスプレイが曲げられるときに引っ張られることで発生する折りたたみ疲労や折りたたみ不良などの現象を防止することができる。
【００３６】
なお、本実施例においては、ねじによる固定方式を開示したが、別の実施形態としてリベットによる固定方式を採用してもよく、本願は具体的な固定方式について制限しない。
【００３７】
図６は、本願の一実施例により提供されるトップカバー４、ベース３及びボトムカバー５の構造模式図である。
【００３８】
図６に示すよう、フレキシブルディスプレイを自動的に折りたたむ装置は、ベース３を更に備える。前記ベース３はスルーホールを有し、駆動機構２２は前記スルーホールの中に配置される。ベース３はモータ２２１のホルダー及びモータ２２１を囲むことができるため、モータ２２１のホルダー及びモータ２２１を保護しながら、外観を美化することができる。
【００３９】
なお、ベース３のスルーホールは円形スルーホール、方形スルーホール又は不規則な形のスルーホールなどであってもよい。実現することが可能であり且つ操作と装着が簡単であればよいため、本願においてはベース３のスルーホールの具体的な形状について制限しない。
【００４０】
また、ベース３の形状は、矩形、長方形、円形又は４つの角が丸角である矩形や長方形などであってもよく、本願はベース３の外部形状について制限しない。
また、ベース３の材料は金属やプラスチックなどであってもよく、本願はベース３の具体的な材料について制限しない。
【００４１】
本願の一実施例において、フレキシブルディスプレイを自動的に折りたたむ装置は、駆動回路基板６及び配線を備える。駆動回路基板６は前記ベース３に配置され、ねじによって前記ベース３と固定される。配線は前記ベース３に配置され、前記駆動回路基板６と電気的に接続される。配線の一端は駆動回路基板６と電気的に接続され、他端はモータ２２１と電気的に接続される。当該駆動回路基板６及び配線は、モータ２２１を駆動制御して回転させる。モータ２２１が回転すると、ディスプレイホルダーも連動して回転する。したがって、フレキシブルディスプレイ９を手動ではなく自動的に曲げる機能を実現することができる。
【００４２】
なお、駆動回路基板６は、ベース３のスルーホールの内部に配置されてもよく、ベース３のモータ２２１固定部に近接する側に配置されてもよく、又は、ベース３のディスプレイホルダーに近接する側に配置されてもよい。本願は、駆動回路基板６がモータ２２１において配置される具体的位置について制限しない。
【００４３】
本願の一実施例において、フレキシブルディスプレイを自動的に折りたたむ装置はトップカバー４を更に備える。トップカバー４はベース３にかぶせるように、ベース３のディスプレイホルダーに近接する一端に配置される。カム２１はトップカバー４の内部に位置する。トップカバー４はモータ２２１ホルダー及びモータ２２１を保護しながら、フレキシブルディスプレイを自動的に折りたたむ装置の外観を美化することができる。
なお、トップカバー４の形状は、矩形、長方形又は円形などであってもよく、本願はトップカバー４の外部形状について制限しない。
【００４４】
また、トップカバー４の材料は金属又はプラスチックなどであってもよく、本願はトップカバー４の具体的な材料について制限しない。
【００４５】
本願の一実施例において、フレキシブルディスプレイを自動的に折りたたむ装置はボトムカバー５を更に備える。ボトムカバー５はベース３にかぶせるように、ベース３のトップカバー４から離れる一端に配置される。ボトムカバー５はモータ２２１を保護して支えることができ、モータ２２１などの部品が連結のゆるみのせいで脱落して展示効果が影響されることを予防することができる。
【００４６】
なお、ボトムカバー５の形状は、矩形、長方形又は円形などであってもよく、本願はボトムカバー５の外部形状について制限しない。
【００４７】
また、ボトムカバー５の材料は金属又はプラスチックなどであってもよく、本願はボトムカバー５の具体的な材料について制限しない。
【００４８】
図７は、本願の一実施例により提供される固定式ディスプレイホルダーの構造模式図である。
【００４９】
図７に示すよう、前記ディスプレイホルダーは可動式ディスプレイホルダー１と固定式ディスプレイホルダー７とを備える。可動式ディスプレイホルダー１と固定式ディスプレイホルダー７は、フレキシブルディスプレイ９の折り曲げ領域の両側に並んで配列される。可動式ディスプレイホルダー１はフレキシブルディスプレイ９の折り曲げ領域の一方側を支え、固定式ディスプレイホルダー７はフレキシブルディスプレイ９の折り曲げ領域の他方側を支える。可動式ディスプレイホルダー１のカム２１に近接する側はカム２１に連結する。モータ２２１は回転するときに可動式ディスプレイホルダー１を連動させて、可動式ディスプレイホルダー１はカム２１の外形に沿って半径を変えながら運動する。固定式ディスプレイホルダー７は動かない。したがって、モータ２２１が回転するとき、フレキシブルディスプレイ９の固定式ディスプレイホルダー７に固定されている部分は動かず、フレキシブルディスプレイ９の可動式ディスプレイホルダー１に固定されている部分はモータ２２１に連動してカム２１に沿って半径を変えながら運動する。つまり、フレキシブルディスプレイ９を自動的に折りたたんだり、展開したりすることを実現し、人的コストを節約することができる。当該自動折りたたみ装置は展覧に用いられてもよく、展示の効率と効果を向上させることができる。
【００５０】
本願の一実施例において、ディスプレイホルダーは軟質樹脂製回転軸を更に備える。当該軟質樹脂製回転軸は可動式ディスプレイホルダー１と固定式ディスプレイホルダー７との間に配置され、可動式ディスプレイホルダー１と固定式ディスプレイホルダー７とを連結する。可動式ディスプレイホルダー１が回転するとき軟質樹脂製回転軸が連動して一緒に回転するため、フレキシブルディスプレイ９の一部が可動式ディスプレイホルダー１に連動して回転し、フレキシブルディスプレイ９の他の一部が固定式ディスプレイホルダー７により固定されて回転しない。当該軟質樹脂製回転軸の材料は軟質樹脂であってもよい。軟質樹脂は弾性を有するため、回転するときにフレキシブルディスプレイ９を傷つけたり圧迫したりすることなく、フレキシブルディスプレイ９を保護する機能を有する。
【００５１】
本願の一実施例において、フレキシブルディスプレイを自動的に折りたたむ装置は、ディスプレイ固定部に配置される固定板を備える。固定板は、フレキシブルディスプレイ９を固定して、フレキシブルディスプレイ９が折りたたまれるときにフレキシブルディスプレイ９の固定部分が移動して回転効果に影響を及ぼすことを防止することができる。
【００５２】
なお、固定板の材料は金属、木材又は他の固定機能に適する材料であってもよく、本願は固定板の具体的な材料について制限しない。
【００５３】
本願の一実施例において、フレキシブルディスプレイを自動的に折りたたむ装置はディスプレイ止め具８を備える。ディスプレイ止め具８は、フレキシブルディスプレイ９の一部を固定式ディスプレイホルダー７に固定し、他の部分を可動式ディスプレイホルダー１に固定する。ディスプレイ止め具８をフレキシブルディスプレイ９の表面に押し付け、ねじを用いてディスプレイ止め具８とディスプレイホルダーとを固定することによって、フレキシブルディスプレイ９を、当該フレキシブルディスプレイを自動的に折りたたむ装置に固定することができる。したがって、フレキシブルディスプレイ９が自動的に曲げられるときに位置がずれてしまうことを防止して、曲げ効果を向上させることができる。
【００５４】
なお、ディスプレイ止め具８は少なくとも２つであってもよい。例えば、ディスプレイ止め具８が２つである場合、当該２つのディスプレイ止め具８は枠構造であり、それぞれフレキシブルディスプレイ９の折り曲げ線に対する両端に配置されてもよい。当該矩形枠をフレキシブルディスプレイ９の表面に置いてから、そのうちの１つのディスプレイ止め具８を固定式ディスプレイホルダー７に連結し、他の１つのディスプレイ止め具８を可動式ディスプレイホルダー１に連結する。ディスプレイ止め具８が複数である場合、複数のディスプレイ止め具８はそれぞれフレキシブルディスプレイ９の折り曲げ領域の両側に配列される。この場合、ディスプレイ止め具８はバー状であってもよい。複数のディスプレイ止め具８はそれぞれ固定式ディスプレイホルダー７及び可動式ディスプレイホルダー１に固定連結される。なお、フレキシブルディスプレイ９がディスプレイホルダーにおいて安定的に固定され且つ回転するときに位置が簡単にずれないことさえを確保できればよいため、本願はディスプレイ止め具８の数と形状について制限しない。
【００５５】
なお、以上の記述内容は本願の好ましい実施例に過ぎず、本願を制限するためのものではない。本願の思想と原則を逸脱しない範囲内で行われる任意の変更や同等の置換などは、すべて本願の保護範囲に属するべきである。
【図１】
2021510213.tif 000003
【図２】
2021510213.tif 000004
【図３】
2021510213.tif 000005
【図４】
2021510213.tif 000006
【図５】
2021510213.tif 000007
【図６】
2021510213.tif 000008
【図７】
2021510213.tif 000009
【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
フレキシブルディスプレイの一部を支える可動式ディスプレイホルダーと、
前記可動式ディスプレイホルダーが固定式回転軸まわりに半径を変えながら回転して前記フレキシブルディスプレイを曲げるよう、前記可動式ディスプレイホルダーを駆動する曲げ駆動装置と、を備え、
前記フレキシブルディスプレイの曲げ角度が大きくなるほど、前記可動式ディスプレイホルダーの回転半径が小さくなる
ことを特徴とする、フレキシブルディスプレイを自動的に折りたたむ装置。
【請求項２】
フレキシブルディスプレイが平面状態から折りたたみ状態になるとき、前記可動式ディスプレイホルダーの回転半径は大から小に変化し、
フレキシブルディスプレイが折りたたみ状態から平面状態になるとき、前記可動式ディスプレイホルダーの回転半径は小から大に変化する
ことを特徴とする請求項１に記載の装置。
【請求項３】
前記曲げ駆動装置は、
曲率半径が変化する円弧状表面を有するカムと、
前記可動式ディスプレイホルダーが前記カムの前記円弧状表面に沿って回転するよう、前記可動式ディスプレイホルダーを駆動する駆動機構と、を備える
ことを特徴とする請求項１または２に記載の装置。
【請求項４】
前記駆動機構は、
モータと、
前記モータと前記カムとの間に配置される駆動部と、を備え、
前記モータは回転して前記駆動部を連動させ、前記駆動部は前記可動式ディスプレイホルダーを駆動し、前記可動式ディスプレイホルダーは前記円弧状表面に沿って回転する
ことを特徴とする請求項３に記載の装置。
【請求項５】
前記駆動部は、
前記モータの頭部側の端部に配置される固定台と、
前記固定台の前記モータから離れた一端に配置される回転リンクと、
前記回転リンクの前記固定台から離れた一端に連結されるスライダーと、
前記カムと前記スライダーとの間に配置されるばねと、
前記ばねの前記スライダーから離れた一端に配置され、ねじによって前記回転リンクと締結されるスライダー圧盤と、
前記回転リンクに配置され、ねじによって前記回転リンクと締結されるベアリングと、を備え、
前記固定台の一端が前記カムに連結される
ことを特徴とする請求項４に記載の装置。
【請求項６】
ベースを更に備え、
前記ベースはスルーホールを有し、
前記駆動機構は前記スルーホールの中に配置される
ことを特徴とする請求項３〜５のいずれか一項に記載の装置。
【請求項７】
前記スルーホールの前記可動式ディスプレイホルダーに近接する一端の表面を覆うトップカバーを更に備え、
前記カムは前記トップカバーの内部に配置される
ことを特徴とする請求項６に記載の装置。
【請求項８】
前記トップカバーの前記ベースから離れた一端に固定される固定式ディスプレイホルダーを更に備え、
前記固定式ディスプレイホルダーと前記可動式ディスプレイホルダーとは、フレキシブルディスプレイの折り曲げ領域の両側に並んで配列される
ことを特徴とする請求項７に記載の装置。
【請求項９】
前記可動式ディスプレイホルダーと前記固定式ディスプレイホルダーとの間に配置され、前記可動式ディスプレイホルダーと前記固定式ディスプレイホルダーとを連結する軟質樹脂製回転軸、を更に備える
ことを特徴とする請求項８に記載の装置。
【請求項１０】
前記固定式ディスプレイホルダーに配置されて前記フレキシブルディスプレイを固定するディスプレイ固定板と、
前記可動式ディスプレイホルダー及び前記ディスプレイ固定板に固定されて前記フレキシブルディスプレイを固定するディスプレイ止め具と、を更に備え、
前記ディスプレイ止め具は２つであり、前記ディスプレイ止め具は枠構造であり、前記２つのディスプレイ止め具はそれぞれフレキシブルディスプレイの折り曲げ線に対する両端に配置され、一方のディスプレイ止め具は固定式ディスプレイホルダーに連結され、他方のディスプレイ止め具は可動式ディスプレイホルダーに連結され、
または、
前記ディスプレイ止め具は複数であり、前記複数のディスプレイ止め具はそれぞれフレキシブルディスプレイの折り曲げ領域の両側に配置され、前記ディスプレイ止め具はバー状であり、前記複数のディスプレイ止め具はそれぞれ固定式ディスプレイホルダー及び可動式ディスプレイホルダーと固定連結される
ことを特徴とする請求項８または９に記載の装置。
【国際調査報告】
2021510213.tif 000010
2021510213.tif 000011
2021510213.tif 000012
2021510213.tif 000013